(57)【要約】【課題】複数の電線の分岐部における電線の電磁的干渉を防止することができる電線分岐構造を提供する。【解決手段】複数の電線３と、この複数の電線３の周囲を覆うシールド部材５とを備え、複数の電線３のそれぞれの一端側は、同一の一部材７に挿通され、複数の電線３のそれぞれの他端側は、一部材７側から分岐して他部材９，１１に挿通される電線分岐構造１において、シールド部材５に、複数の電線３の他端側が他部材９，１１に挿通されて分岐された分岐部１３に隣り合う電線３，３間を隔てる隔離部１５を設けた。【選択図】図２
2014146536.tif 000002
【特許請求の範囲】
【請求項１】
複数の電線と、この複数の電線の周囲を覆うシールド部材とを備え、前記複数の電線のそれぞれの一端側は、同一の一部材に挿通され、前記複数の電線のそれぞれの他端側は、前記一部材側から分岐して少なくとも２つの他部材に挿通される電線分岐構造であって、
前記シールド部材には、前記複数の電線の他端側が前記他部材に挿通されて分岐された分岐部に隣り合う前記電線間を隔てる隔離部が設けられていることを特徴とする電線分岐構造。
【請求項２】
請求項１記載の電線分岐構造であって、
前記隔離部は、前記シールド部材の内周面の対向する部分が接合されて設けられていることを特徴とする電線分岐構造。
【発明の詳細な説明】
【技術分野】
【０００１】
本発明は、電線分岐構造に関する。
【背景技術】
【０００２】
従来、電線分岐構造としては、複数の電線と、この複数の電線の周囲を覆うシールド部材とを備え、複数の電線のそれぞれの一端側は、同一の一部材としての入り口側筒体に挿通され、複数の電線のそれぞれの他端側は、入り口側筒体側から分岐して２つの他部材としての出口側筒体に挿通されるものが知られている（例えば、特許文献１参照）。
【０００３】
この電線分岐構造は、例えば、インバータとモータジェネレータとの間の接続に適用され、入り口側筒体に挿通された電線の一端側がインバータに接続され、出口側筒体に挿通された電線の他端側が２つのモータジェネレータにそれぞれ接続される。
【０００４】
このように配置される複数の電線の周囲をシールド部材で覆うことにより、複数の電線に対するノイズなどの侵入や漏洩を防止することができる。
【先行技術文献】
【特許文献】
【０００５】
【特許文献１】特開２０１２−８４２７５号公報
【発明の概要】
【発明が解決しようとする課題】
【０００６】
しかしながら、上記特許文献１のような電線分岐構造では、複数の電線が同一のシールド部材に一括して覆われているので、それぞれ別々の他部材に挿通されて分岐される複数の電線の分岐部において、隣り合う電線に電磁的干渉が発生する恐れがあった。
【０００７】
そこで、この発明は、複数の電線の分岐部における電線の電磁的干渉を防止することができる電線分岐構造の提供を目的としている。
【課題を解決するための手段】
【０００８】
請求項１記載の発明は、複数の電線と、この複数の電線の周囲を覆うシールド部材とを備え、前記複数の電線のそれぞれの一端側は、同一の一部材に挿通され、前記複数の電線のそれぞれの他端側は、前記一部材側から分岐して少なくとも２つの他部材に挿通される電線分岐構造であって、前記シールド部材には、前記複数の電線の他端側が前記他部材に挿通されて分岐された分岐部に隣り合う前記電線間を隔てる隔離部が設けられていることを特徴とする。
【０００９】
この電線分岐構造では、シールド部材に複数の電線の他端側が他部材に挿通されて分岐された分岐部に隣り合う電線間を隔てる隔離部が設けられているので、複数の電線の分岐部における隣り合う電線の電磁的干渉を防止することができる。
【００１０】
請求項２記載の発明は、請求項１記載の電線分岐構造であって、前記隔離部は、前記シールド部材の内周面の対向する部分が接合されて設けられていることを特徴とする。
【００１１】
この電線分岐構造では、隔離部がシールド部材の内周面の対向する部分が接合されて設けられているので、部品点数を増加させることなく、隔離部を設けることができる。
【発明の効果】
【００１２】
本発明によれば、複数の電線の分岐部における電線の電磁的干渉を防止することができる電線分岐構造を提供することができるという効果を奏する。
【図面の簡単な説明】
【００１３】
【図１】本発明の実施の形態に係る電線分岐構造の上面図である。
【図２】本発明の実施の形態に係る電線分岐構造の部分断面図である。
【図３】（ａ）は本発明の実施の形態に係る電線分岐構造のシールド部材を組付けたときの斜視図である。（ｂ）は本発明の実施の形態に係る電線分岐構造のシールド部材に隔離部を設けたときの斜視図である。
【発明を実施するための形態】
【００１４】
図１〜図３を用いて本発明の実施の形態に係る電線分岐構造について説明する。
【００１５】
本実施の形態に係る電線分岐構造１は、複数の電線３と、この複数の電線３の周囲を覆うシールド部材５とを備え、複数の電線３のそれぞれの一端側は、同一の一部材としてのシールドシェル７に挿通され、複数の電線３のそれぞれの他端側は、シールドシェル７側から分岐して２つの他部材としてのシールドシェル９，１１に挿通される。
【００１６】
そして、シールド部材５には、複数の電線３の他端側がシールドシェル９，１１に挿通されて分岐された分岐部１３に隣り合う電線３，３間を隔てる隔離部１５が設けられている。
【００１７】
また、隔離部１５は、シールド部材５の内周面の対向する部分が接合されて設けられている。
【００１８】
図１〜図３に示すように、複数（ここでは６本）の電線３は、並列に配置され、それぞれの両端が絶縁被覆が剥がされ、導体部が端子化されている。なお、電線３の端部は、導体部を端子化させなくともよく、導体部に端子を加締めや圧着などによって接続させてもよい。
【００１９】
この複数の電線３の一端側は、全ての電線３がシールドシェル７に挿通され、他端側が３本１組となるように分岐部１３で分岐され、各組（ここでは２組）がそれぞれ別々のシールドシェル９，１１に挿通されている。
【００２０】
電線３の一端側が挿通されるシールドシェル７は、導電性材料からなり、例えば、インバータ側のコネクタ（不図示）に嵌合されるコネクタハウジング（不図示）に組付けられる。このシールドシェル７には、電線３の一端側が挿通される円筒部１７が設けられている。
【００２１】
電線３の他端側が挿通されるシールドシェル９，１１は、導電性材料からなり、例えば、２つのモータジェネレータ側の各コネクタ（不図示）に嵌合される各コネクタハウジング（不図示）にそれぞれ組付けられる。このシールドシェル９，１１には、電線３の他端側がそれぞれ挿通される円筒部１９，２１が設けられている。
【００２２】
このようなシールドシェル７の円筒部１７とシールドシェル９，１１の円筒部１９，２１とには、それぞれの外周にシールド部材５の両端が組付けられる。
【００２３】
シールド部材５は、導電性材料が編み込まれた編み目状の編組導体、或いはシート状に形成された導電性の金属箔からなり、筒状に形成され、シールドシェル９，１１側が二股状に形成されている。なお、シールド部材５は、シールドシェル９，１１側を二股状に形成せず、単に筒状に形成させてもよい。
【００２４】
このシールド部材５は、シールドシェル７とシールドシェル９，１１との間に配置された複数の電線３の周囲を覆い、一端側がシールドシェル７の円筒部１７の外周に組付けられ、他端側がシールドシェル９，１１の円筒部１９，２１の外周にそれぞれ組付けられる。
【００２５】
このようなシールド部材５は、シールドシェル７の円筒部１７とシールドシェル９，１１の円筒部１９，２１との組付部が加締めリング（不図示）などの固定手段によって固定され、シールドシェル７とシールドシェル９，１１とに電気的に接続されて、電線３に対するノイズなどの侵入や漏洩を防止するシールド回路を形成する。
【００２６】
このように複数の電線３の周囲を覆うシールド部材５は、複数の電線３の他端側がシールドシェル９，１１に挿通されて分岐された分岐部１３において、隣り合う電線３，３間を隔てる隔離部１５が設けられている。この隔離部１５は、シールド部材５の内周面の対向する部分同士を接合や溶接などの接合手段によって接合されて構成されている。
【００２７】
このような隔離部１５によって隔離された電線３，３は、それぞれ別々のモータジェネレータに接続されるため、特性が全く異なる信号が流れている。このため、隔離部１５によって隔離されることにより、隣り合う電線３，３間の電磁的干渉を防止でき、モータジェネレータの誤作動を防止することができる。
【００２８】
また、隔離部１５は、シールド部材５の接合によって構成されているので、分岐した電線３をそれぞれ別々のシールド部材５で独立して覆う必要がなく、シールド部材５の一端側のシールドシェル７とのシールド接続を１箇所で行えると共に、別々のシールド部材５を配置したときと同様のシールド効果を得ることができる。加えて、クリップなどのような圧着部材を用いる必要がなく、部品点数を削減することができる。
【００２９】
このように構成された電線分岐構造１における分岐方法は、まず、複数の電線３の一端側をシールドシェル７に挿通させる。次に、シールドシェル７の円筒部１７の外周にシールド部材５の一端側を組付ける。次に、複数の電線３の他端側をシールドシェル９，１１の円筒部１９，２１にそれぞれ挿通し、シールド部材５の他端側をシールドシェル９，１１の円筒部１９，２１の外周にそれぞれ組付ける。そして、複数の電線３の分岐部１３に位置するシールド部材５を接合手段によって接合し、隣り合う電線３，３間を隔てるようにシールド部材５に隔離部１５を設ける。
【００３０】
このような電線分岐構造１では、シールド部材５に複数の電線３の他端側がシールドシェル９，１１に挿通されて分岐された分岐部１３に隣り合う電線３，３間を隔てる隔離部１５が設けられているので、複数の電線３の分岐部１３における隣り合う電線３，３の電磁的干渉を防止することができる。
【００３１】
また、隔離部１５は、シールド部材５の内周面の対向する部分が接合されて設けられているので、部品点数を増加させることなく、隔離部１５を設けることができる。
【００３２】
なお、本発明の実施の形態に係る電線分岐構造では、複数の電線が３本１組で分岐され、この分岐された隣り合う電線間に隔離部が設けられているが、これに限らず、異なる部材に接続される隣り合う電線間に隔離部を設ければよい。加えて、全ての隣り合う電線間に隔離部を設けてもよい。
【００３３】
また、シールド部材は、他部材としての２つのシールドシェルに挿通される他端側が二股状に形成されているが、例えば、筒状のシールド部材に接合手段などによって隔離部を形成させた後、この隔離部に沿って切断などによって他端側を二股状に分岐させるなど、予め分岐されたシールド部材に限らず、分岐されていない筒状のシールド部材にも適用することができる。
【符号の説明】
【００３４】
１…電線分岐構造
３…電線
５…シールド部材
７…シールドシェル（一部材）
９，１１…シールドシェル（他部材）
１３…分岐部
１５…隔離部
【図１】
2014146536.tif 000003
【図２】
2014146536.tif 000004
【図３】
2014146536.tif 000005